(57)【要約】【課題】一般のスパッツと同様にして着用することにより、永久磁石を一度に下半身全体に当接させることができて、下半身全体の血行を促進して有効な磁気治療を行うことができ、また、膝サポーター要素を一体に備えることにより、スパッツを穿く動作によって膝サポーター要素を装着位置に配置することができるスパッツ型磁気治療器を提供することを課題とする。【解決手段】ほぼ全体に亘って磁気カプセル３が定着されたスパッツ本体１と、一端がスパッツ本体１の両大腿部側部に斜め下向きに伸びるように取り付けられ、大腿部を螺旋状に取り巻いて先端部が膝窩から脹脛部に亘る部分に達する伸縮帯２とから成り、伸縮帯２の先端部は膝窩から脹脛部に亘る部分に係脱自在であって、その係着位置を選択変更することで大腿部及び膝に対する緊縮力の変更が可能である。【選択図】図１
2018130453.tif 000002
【特許請求の範囲】
【請求項１】
ほぼ全体に亘って磁気カプセルが定着されたスパッツ本体と、一端が前記スパッツ本体の両大腿部側部に斜め下向きに伸びるように取り付けられ、大腿部を螺旋状に取り巻いて先端部が膝窩から脹脛部に亘る部分に達する伸縮帯とから成り、前記伸縮帯の先端部は前記膝窩から脹脛部に亘る部分に係脱自在であって、その係着位置を選択変更することで大腿部及び膝に対する緊縮力の変更が可能であることを特徴とするスパッツ型磁気治療器。
【請求項２】
前記伸縮帯のほぼ全体に亘って磁気カプセルが定着されている、請求項１に記載のスパッツ型磁気治療器。
【請求項３】
前記スパッツ本体及び前記伸縮帯は、縦横に伸縮性のあるサテンネットその他の伸縮素材製である、請求項１又は２に記載のスパッツ型磁気治療器。
【発明の詳細な説明】
【技術分野】
【０００１】
本発明は、スパッツ型磁気治療器に関するものであり、より詳細には、大腿部から膝部にかかる部位に適圧の緊縮力を付与して血行を促進しつつ、磁気治療を行うことができるスパッツ型磁気治療器に関するものである。なお、ここに言うスパッツは、膝下まで伸びる長さのものである。
【背景技術】
【０００２】
身体に着用して磁気治療を行う磁気治療器で下半身用のものとしては、腰保護用ベルトやひざサポーター等があるが、これらは腰や膝のように、下半身の一部に対して磁気作用を及ぼすものであるので、それによる磁気治療効果は部分的であって、下半身全体に及ぶ訳ではない。
【０００３】
また、貼り付けタイプの磁気治療器があるが、それは１つずつ患部（ツボ）に貼り付けていく必要があるため、多数貼り付けるには手間がかかり、また、貼り付けタイプの磁気治療器は使い捨てであって恒久的使用ができないため、多数用いる場合にはコスト的にも問題がある。更に、この貼り付けタイプの磁気治療器は、直接肌に貼り付けるものであるため、貼り付け部がかぶれたりするおそれがあり、肌が弱い人には不向きである。
【０００４】
更に、膝頭周辺部に他の部分よりも伸縮性に欠ける、ないし、伸長応力の高い帯状部を配して、膝部分の保護を図ったスパッツが種々提案され（特開２０１６−４７９６９号公報、特開２０１３−１４７７５９号公報等）、また、膝の動きをサポートし、さらに膝の靭帯をサポートする効果を有するサポーターも種々提案されている（特開２０１１−４１７３８号公報、特開２０１２−１４３３８８号公報等）。
【０００５】
しかし、これらのスパッツや膝サポーターはそれぞれ独立したものであり、上記スパッツの場合は帯状部による締付け力が一定で、強過ぎる場合に緩め、緩い場合に強めるといった調整をすることができず、締付け力が弱い場合には、スパッツを穿いた上に膝サポーターを装着して締付け力を高める、といった方法を採らざるを得ない。また、膝サポーターの場合は、装着に際し、適正位置に配置した上で締付け操作を行うことになるが、この操作を片手で行うことは難しく、装着に手間がかかる。また、スパッツを穿いた上に装着する場合は、先ずスパッツを穿き、次いで膝サポーターを装着するという二段階作業ということになる。
【先行技術文献】
【特許文献】
【０００６】
【特許文献１】特開２０１６−４７９６９号公報
【特許文献２】特開２０１３−１４７７５９号公報
【特許文献３】特開２０１１−４１７３８号公報
【特許文献４】特開２０１２−１４３３８８号公報
【発明の概要】
【発明が解決しようとする課題】
【０００７】
上述したように、身体に着用して磁気治療を行う磁気治療器で下半身用である腰保護用ベルトやひざサポーターの場合は、腰や膝のように、下半身の一部に対して磁気作用を及ぼすものであるので、それによる磁気治療効果は部分的であって、下半身全体には及ばないという問題があり、また、従来の膝保護用スパッツと膝サポーターは別体で、装着が二段階作業となって手間がかかるといった問題があった。
【０００８】
本発明は、従来技術におけるこのような問題を解決するためになされたものであり、一般のスパッツと同様にして着用することにより、永久磁石を一度に下半身全体に当接させることができ、肌に貼り付けるタイプではないため、肌が弱い人であっても安心して使用できて、下半身全体の血行を促進して有効な磁気治療を行うことができ、また、膝サポーター要素を一体に備えることにより、スパッツを穿く動作によって膝サポーター要素を装着位置に配置することができ、その後締付け操作をするだけで簡単に着用することができるスパッツ型磁気治療器を提供することを課題とする。
【課題を解決するための手段】
【０００９】
上記課題を解決するための請求項１に記載の発明は、ほぼ全体に亘って磁気カプセルが定着されたスパッツ本体と、一端が前記スパッツ本体の両大腿部側部に斜め下向きに伸びるように取り付けられ、大腿部を螺旋状に取り巻いて先端部が膝窩から脹脛部に亘る部分に達する伸縮帯とから成り、前記伸縮帯の先端部は前記膝窩から脹脛部に亘る部分に係脱自在であって、その係着位置を選択変更することで大腿部及び膝に対する緊縮力の変更が可能であることを特徴とするスパッツ型磁気治療器である。
【００１０】
一実施形態においては、前記伸縮帯のほぼ全体に亘って磁気カプセルが定着される。
【００１１】
一実施形態においては、前記スパッツ本体及び前記伸縮帯は、縦横に伸縮性のあるサテンネットその他の伸縮素材製である。
【発明の効果】
【００１２】
本発明に係るスパッツ型磁気治療器は、一般のスパッツとさして変わらない仕方で着用でき、磁気カプセルがほぼ全体に配置された構成であるため、単に一般のスパッツと同様に着用するだけで、多数の磁気カプセルを下半身全体のツボ部分に当接させることができて、その当接部分に有効に磁気作用を及ぼすことができ、また、伸縮帯が、装着中に緊縮して膝を引き上げるように作用するため、上記磁気治療効果と相俟って、その痛みが軽減されると共に、前十字靭帯が保護されて膝痛が予防されるという効果がある。
【図面の簡単な説明】
【００１３】
【図１】本発明に係るスパッツ型磁気治療器の構成を示す正面図である。
【図２】本発明に係るスパッツ型磁気治療器の構成を示す背面図である。
【図３】本発明に係るスパッツ型磁気治療器の着用状態を示す正面図である（磁気カプセルを省略してある）。
【図４】本発明に係るスパッツ型磁気治療器の着用状態を示す背面図である（磁気カプセルを省略してある）。
【図５】本発明に係るスパッツ型磁気治療器に用いられる磁気カプセルの構成例を示す縦断面図である。
【発明を実施するための形態】
【００１４】
本発明を実施するための形態について、添付図面を参照しつつ詳細に説明する。本発明に係るスパッツ型磁気治療器は、スパッツ形状を呈していて、通例、膝頭対応部及び股間部を除き、ほぼ全体に亘って磁気カプセル３が設置されたスパッツ本体１と、スパッツ本体１の両大腿部側部から斜め下向きに伸びるように取り付けられる伸縮帯２とから成る（図１，２参照）。
【００１５】
好ましくは、スパッツ本体１は、縦横に伸縮性のあるサテンネット、パワーネット等の伸縮性素材製とされ、適宜箇所に保温用裏地並びにサポート用裏地４が配置される。伸縮帯２もスパッツ本体１と同様の伸縮性のある素材製とされ、ほぼ全体に亘って磁気カプセル３が設置される。
【００１６】
磁気カプセル３は、例えば、永久磁石５を収納した容部６と、容部６を嵌装する環状受け部７とから成り、容部６は、スパッツ本体１及び伸縮帯２の磁気カプセル３定着部の生地８を挟んで環状受け部７内に嵌入することにより、その磁気カプセル３定着部に固定される（図５参照）。この磁気カプセル３を用いた場合は、磁気カプセル３の定着部の生地８に対する固定作業が容易であるため、生産効率が向上する。
【００１７】
伸縮帯２は、スパッツ本体１の大腿部を螺旋状に取り巻き、先端部がスパッツ本体１の膝窩（膝の裏側の窪み）から脹脛に亘る部分に達する長さとされる。伸縮帯２の先端部とスパッツ本体１の膝窩から脹脛に亘る部分に、係脱自在に係着し合う係着手段１１，１２が配備される。係着手段１１，１２としては普通面テープが用いられるが、その場合、係着手段１１，１２の双方に面テープを用いる必要はなく、例えば、伸縮帯３の方の係着手段１１を面テープとし、これに対応するスパッツ本体１側の係着手段１２を、面テープの絡み付きが良好な布材とすることができる。
【００１８】
本発明に係るスパッツ型磁気治療器は、先ずスパッツ本体１を、一般のスパッツと同様の方法で穿いて着用する。そして、伸縮帯２の先端部を後ろに回し、大腿部を螺旋状に取り巻いて前方に引き出し、膝の上を通して再び後方に回し、その先端部の係着手段１１を、スパッツ本体１側の係着手段１２の任意の位置に係着させる（図４参照）。係着手段１１は係着手段１２に対して係脱自在であるので、その係着位置を任意に選択変更することができる。そして、その係着位置を選択変更することにより、大腿部から膝部にかけて、所望の程よい緊締力を付与することが可能となる。
【００１９】
本発明に係るスパッツ型磁気治療器は、一般のスパッツとさして変わらない仕方で着用でき、磁気カプセル２がほぼ全体に配置された構成であるため、単に一般のスパッツと同様に着用するだけで、多数の磁気カプセル３を下半身全体のツボ部分に当接させることができ、その当接部分に有効に磁気作用を及ぼすことができる。
【００２０】
また、膝痛の多くは膝に体重がかかることによって起こるが、本発明に係るスパッツ型磁気治療器の場合は、上記のようにして装着される伸縮帯２が、装着中に緊縮して膝を引き上げるように作用するため、上記磁気治療効果と相俟って、その痛みが軽減されると共に、前十字靭帯が保護されて膝痛が予防される。
【符号の説明】
【００２１】
１            スパッツ本体
２            伸縮帯
３            磁気カプセル
４            裏地
５            永久磁石
６            容部
７            環状受け部
８            生地
１１，１２    係着手段
【図１】
2018130453.tif 000003
【図２】
2018130453.tif 000004
【図３】
2018130453.tif 000005
【図４】
2018130453.tif 000006
【図５】
2018130453.tif 000007